(57)【要約】【課題】  ハンドルレバーが邪魔にならず幼児を簡単に座席に乗せることができるようにする。【解決手段】  座部１の左右両側に設けられた座席側壁４０に側壁開口部４１が設けられ、座席側壁４０の外側にハンドルバー８が係止する係止部１７が設けられており、係止部１７及び側壁開口部４１を座席側壁４０の外側から覆うと共に、座席側壁４０の内側に配置されて座席の側部クッションとなるカバー体５０が着脱自在に設けられている。側壁開口部４１は、係止部１７の前側に設けられた前側開口部１６と、係止部１７の後側に設けられた後側開口部１８とを備え、カバー体５０は、前側開口部１６及び後側開口部１８を係止部１７と共に外側から覆う外側部５１と、座席側壁４０の内側に位置する内側部５２とを有している。【選択図】図８
2011088537.tif 000002
【特許請求の範囲】
【請求項１】
座部の左右両側に設けられた座席側壁に側壁開口部が設けられ、前記座席側壁の外側にハンドルバーが係止する係止部が設けられており、前記係止部及び側壁開口部を座席側壁の外側から覆うと共に、前記座席側壁の内側に配置されて座席の側部クッションとなるカバー体が着脱自在に設けられていることを特徴とする自転車用幼児座席。
【請求項２】
前記側壁開口部は、前記係止部の前側に設けられた前側開口部と、係止部の後側に設けられた後側開口部とを備え、前記カバー体は、前側開口部及び後側開口部を前記係止部と共に外側から覆う外側部と、座席側壁の内側に位置する内側部とを有していることを特徴とする請求項１に記載の自転車用幼児座席。
【請求項３】
前記カバー体は、前記座席側壁を内外から挟み込むように配置され、前側開口部及び後側開口部を前記係止部と共に外側から覆う部分が外側部とされ、座席側壁の内側に位置する部分が内側部とされており、前記外側部と内側部とを互いに掛止することで前記座席側壁に対して固定されていることを特徴とする請求項２に記載の自転車用幼児座席。
【請求項４】
前記座席側壁は、前記座部の左右両側に設けられた座部側壁と、前記座部の背面側に設けられた背凭れ体の左右両側に設けられた背凭れ側壁とを備え、前記背凭れ体の底壁が前記座部側壁に左右方向の支軸廻りに揺動自在に支持されてリクライニング可能とされ、前記後側開口部は、前記座部側壁の後側縁部と前記背凭れ側壁の前側縁部とで構成されおり、前記外側部と内側部との掛止位置は、リクライニング時に前記背凭れ側壁の前側縁部と干渉しない位置に設けられていることを特徴とする請求項３に記載の自転車用幼児座席。
【請求項５】
前記カバー体の内側部には、座席側壁の内側の上部側及び／又は下部側に当接する当設部が形成されていることを特徴とする請求項２〜４のいずれかに記載の自転車用幼児座席。
【発明の詳細な説明】
【技術分野】
【０００１】
本発明は、自転車用幼児座席に関するものである。
【背景技術】
【０００２】
自転車用幼児座席は、座部と、その座部の左右両側に座席側壁とが設けられ、座席側壁の外側にはハンドルバーが係止する係止部が設けられたものがある（例えば特許文献１）。特許文献１のような自転車用幼児座席では、係止部に自転車のハンドルレバーを係止することにより、当該座席を自転車に装着している。
【先行技術文献】
【特許文献】
【０００３】
【特許文献１】特開２００６−１８２１９９号公報
【発明の概要】
【発明が解決しようとする課題】
【０００４】
しかしながら、このような自転車用幼児座席では、当該座席を自転車に装着することができるものの、ハンドルレバーが露出した状態であったため、例えば、幼児を座席に乗せる際に、幼児の手足などがハンドルレバーに接触することがあり幼児を座席に乗せることが難しいという問題があった。
本発明は上記問題点に鑑みて、ハンドルレバーが邪魔にならず幼児を簡単に座席に乗せることができる自転車用幼児座席を提供することを目的とする。
【課題を解決するための手段】
【０００５】
この技術的課題を解決する本発明の技術的手段は、座部の左右両側に設けられた座席側壁に側壁開口部が設けられ、前記座席側壁の外側にハンドルバーが係止する係止部が設けられており、前記係止部及び側壁開口部を座席側壁の外側から覆うと共に、前記座席側壁の内側に配置されて座席の側部クッションとなるカバー体が着脱自在に設けられている点にある。
【０００６】
前記側壁開口部は、前記係止部の前側に設けられた前側開口部と、係止部の後側に設けられた後側開口部とを備え、前記カバー体は、前側開口部及び後側開口部を前記係止部と共に外側から覆う外側部と、座席側壁の内側に位置する内側部とを有していることが好ましい。
前記カバー体は、前記座席側壁を内外から挟み込むように配置され、前側開口部及び後側開口部を前記係止部と共に外側から覆う部分が外側部とされ、座席側壁の内側に位置する部分が内側部とされており、前記外側部と内側部とを互いに掛止することで前記座席側壁に対して固定されていることが好ましい。
【０００７】
前記座席側壁は、前記座部の左右両側に設けられた座部側壁と、前記座部の背面側に設けられた背凭れ体の左右両側に設けられた背凭れ側壁とを備え、前記背凭れ体の底壁が前記座部側壁に左右方向の支軸廻りに揺動自在に支持されてリクライニング可能とされ、前記後側開口部は、前記座部側壁の後側縁部と前記背凭れ側壁の前側縁部とで構成されおり、前記外側部と内側部との掛止位置は、リクライニング時に前記背凭れ側壁の前側縁部と干渉しない位置に設けられていることが好ましい。
【０００８】
前記カバー体の内側部には、座席側壁の内側の上部側及び／又は下部側に当接する当設部が形成されていることが好ましい。
【発明の効果】
【０００９】
本発明によれば、ハンドルレバーが邪魔にならず幼児を簡単に座席に乗せることができる。
【図面の簡単な説明】
【００１０】
【図１】第１実施形態におけるカバー体の非装着状態での自転車用幼児座席の全体斜視図である。
【図２】カバー体の非装着状態での自転車用幼児座席の外側側面図である。
【図３】カバー体の非装着状態での自転車用幼児座席の内側側面図である。
【図４】カバー体の装着状態での自転車用幼児座席の外側側面図である。
【図５】カバー体を装着状態での自転車用幼児座席の平面図である。
【図６】カバー体を装着する手順を示すものであって、（ａ）カバー体を前側開口部に通す斜視図であり、（ｂ）前側開口部に通したカバー体をさらに外側に引いた斜視図である。
【図７】カバー体を装着する手順を示すものであって、（ａ）カバー体の折り曲げ部を前側開口部に近づけた斜視図であり、（ｂ）カバー体を装着した斜視図である。
【図８】第２実施形態におけるカバー体の装着状態での自転車用幼児座席の外側側面図である。
【図９】カバー体の装着状態での自転車用幼児座席の内側側面図である。
【図１０】カバー体の装着状態での自転車用幼児座席の平面図である。
【図１１】カバー体を装着する手順を示すものであって、（ａ）カバー体を前側開口部に通す斜視図であり、（ｂ）前側開口部に通したカバー体をさらに外側に引いた斜視図である。
【発明を実施するための形態】
【００１１】
以下、本発明の実施の形態を図面を参照して説明する。
［第１実施形態］
図１〜図２において、自転車用子供座席は、座部１を有する座席本体２と、背凭れ部３を有する背凭れ体４とを別体に備え、背凭れ体４の背凭れ部３にヘッドレスト５が高さ調整自在に設けられ、座席本体２にステップ６が横軸７廻りに揺動可能に設けられている。自転車用子供座席は、自転車のハンドルバー８に着脱自在に装着され、ここに幼児を座らせることができると共に籠にもなるように構成されている。座席本体２及び背凭れ部３は、例えば、合成樹脂等により構成されている。
【００１２】
座席本体２は、座部１とは別に座部側壁１１を備えている。
座部１の前方には、足下げ用開口１２が設けられ、座部１の左右方向中央部から前方に突出して足下げ用開口１２を左右に分離する仕切り壁１３が設けられている。左右一対の座部側壁１１の前端同士は連結壁板１４により連結されると共に、仕切り壁１３の前端側が連結壁板１４の左右方向中央部に連結されている。
【００１３】
図１〜図３に示すように、座部側壁１１は、樹脂等により形成されたもので、当該座部側壁１１の前側には、網目状となっているメッシュ部１５が設けられ、このメッシュ部１５の後側には、前側開口部１６が設けられている。また、前側開口部１６の後側であって外側にはハンドルバー８が係止する係止部１７が形成され、係止部１７の後側には、後側開口部１８が設けられている。
【００１４】
詳しくは、座部側壁１１は、連結壁板１４の上部側から後方にいくに従って徐々に上方に移行する第１上壁部２０と、連結壁板１４の下部側から後側へと移行する第１下壁部２１と、前側において第１上壁部２０と第１下壁部２１とを連結する第１連結壁２２と、後側において第１上壁部２０と第１下壁部２１とを連結する第２連結壁２３とを備えている。第１上壁部２０の前側と第１下壁部２１の前側と第１連結壁２２とで囲まれた部分がメッシュ部１５とされている。
【００１５】
座部側壁１１の外側（第２連結壁２３）に設けられた係止部１７は、自転車用子供座席の前後方向略中央部に配置されて、当該係止部１７にハンドルバー８を係止したときに前後の重量バランスが略同じになるようになっている。この係止部１７は、第２連結壁２３の外側から前後方向に突出した前後一対の突出片２４により構成され、この突出片２４にハンドルバー８の垂直部８ａ（起立部分）の外周が係止するものとなっている。  
背凭れ体４は、背凭れ部３の他に背凭れ部３下端から前方突出した底壁３０と、左右一対の背凭れ側壁３１とを有している。
【００１６】
背凭れ体４の左右一対の背凭れ側壁３１が座席本体２の左右一対の座部側壁１１の外側に配置されて、座席本体２の左右一対の座部側壁１１の後部と背凭れ体４の左右一対の背凭れ側壁３１の前部とが左右に重合されている。詳しくは、背凭れ側壁３１の前端側と座部側壁１１の第１上壁部２０の後側とが左右に重合していて、背凭れ側壁３１は第１上壁部２０に左右方向の支軸３２廻りに揺動自在に支持されている。
【００１７】
さらに詳しくは、背凭れ側壁３１は、背凭れ部３の上部側から前方に突出する第２上壁部３５と、背凭れ部３の下部側から前方に突出する第２下壁部３６とを備え、第２上壁部３５の前部側と第１上壁部２０の後部側とが左右方向に重合している。
そして、座部側壁１１の第１上壁部２０の後側に設けた取付孔にボルトを通すと共に、
当該ボルトを第２上壁部３５の前側に設けた円板体３８内のナットに締結することにより、背凭れ側壁３１は第１上壁部２０に揺動自在に支持されている。第２上壁部３５、第２下壁部３６、座部側壁１１の第１上壁部２０、第２連結壁２３及び第１下壁部２１で囲まれた部分が後側開口部１８とされている。
【００１８】
底壁３０の前端は、座部１の後部の下側に配置されて当該座部１と重合していて、当該底壁３０の前端は前後揺動自在となっている。背凭れ体４の底壁３０を座席本体２の座部１に対して支軸３２廻りに前後移動調整自在に移動させる背凭れ移動機構３９が座部１と底壁３０との間に設けられ、背凭れ移動機構３９により背凭れ体４３はリクライニングするようになっている。
【００１９】
以上のように、この実施形態では、座部側壁１１（第１上壁部２０、第１下壁部２１、第１連結壁２２、第２連結壁２３）と背凭れ側壁３１（第２上壁部３５、第２下壁部３６）とにより、座部１の左右両側に位置する座席側壁４０が構成され、この座席側壁４０には、当該座席側壁４０を開口した側壁開口部４１が設けられている。そして、この実施形態では、側壁開口部４１は、前側開口部１６、後側開口部１８とを備えたものとなっている。
【００２０】
前側開口部１６は、座部側壁１１の前側に設けられたもので係止部１７の前側に位置し、第１上壁部２０の縁部と第１下壁部２１の縁部と第２連結壁２３の縁部とで囲まれることにより構成されている。後側開口部１８は、座部側壁１１の後側に設けられたもので係止部１７の後側に位置し、座部側壁１１の後側縁部１１ａと背凭れ側壁３１の前側縁部３１ａとで囲まれることにより構成されている。詳しくは、後側開口部１８は、第２上壁部３５の縁部、第２下壁部３６の縁部、第１上壁部２０の縁部、第２連結壁２３の縁部及び第１下壁部２１の縁部で構成され、背凭れ体４の底壁３０の前後揺動したときには、その大きさが変わるものとなっている。
【００２１】
詳しくは、背凭れ移動機構３９によって背凭れ体４の底壁３０を座部１に対して支軸３２廻りに前後に移動させたとき、この移動に伴って背凭れ側壁３１も前後動して座部側壁１１に近接離反することになる。その結果、座部側壁１１に対する背凭れ側壁３１の近接離反により、後側開口部１８の大きさが変化することになる。図４に示すように、後側開口部１８は、背凭れ体４の底壁３０を最も前側に揺動させたとき（リクライニングの最大傾斜姿勢）が側面視で最も小さくなり、背凭れ体４の底壁３０を最も後側に揺動させたとき（リクライニングの最大傾斜姿勢）が側面視で最も大きくなる。
【００２２】
図３〜５に示すように、左右各座席側壁４０には、カバー体５０が着脱自在に設けられている。各カバー体５０は、係止部１７及び側壁開口部４１を座席側壁４０の外側から覆うもであると共に、座席側壁４０の内側に配置されて座席の側部クッションとなるものである。このカバー体５０は、自在に変形可能なものであって、例えば、外側がポリエステルやナイロンなどの合成樹脂から構成され、内部にはクッション材としてウレタン等が設けられている。
【００２３】
１枚のカバー体５０が、それぞれの座席側壁４０を内外から挟み込むように配置されて各座席側壁４０に取り付けられており、挟み込みによって外側に位置する当該カバー体５０の外側部５１により、前側開口部１６、後側開口部１８、係止部１７及び当該係止部１７に係止したハンドルバー８や垂直部８ａに沿って設けられたワイヤー２５が外側（座席の外側）から覆われ、挟み込みによって内側に位置する当該カバー体５０の内側部５２により、前側開口部１６及び後側開口部１８が内側（座席の内側）から覆われている。なお、この実施形態では、カバー体５０の外側部５１に収納部（ポケット）６０が設けられているが、カバー体５０は、収納部６０を有するものであっても、有しないものであってもよい。
【００２４】
このカバー体５０の前後方向（長手方向）の中途部には、座席側壁４０を内外から挟み込みができるように折り曲げ部５３が形成されており、この折り曲げ部５３よりも長手方向の一方側が外側部５１となり、折り曲げ部５３よりも長手方向の他方側が内側部５２とされている。
カバー体５０は、当該カバー体５０の外側部５１に設けた上下一対の掛止具５４と、当該カバー体５０の内側部５２に設けた上下一対の掛止具５５とを互いに掛止することで、座席側壁４０に対して固定されている。
【００２５】
詳しくは、カバー体５０の外側部５１において内側部５２に対向する側にホック等の上下一対の掛止具５４が設けられ、カバー体５０の内側部５２において外側部５１に対向する側にホック等の上下一対の掛止具５５が設けられ、外側部５１及び内側部５２に設けた掛止具５４、５５を掛止することによりカバー体５０は取り付けられる。
後述するように、カバー体５０を座席側壁４０に装着する際、外側部５１の掛止具５４と内側部５２の掛止具５５とは後側開口部１８を介して掛止するが、外側部５１及び内側部５２における掛止具５４、５５の位置（掛止位置）は、背凭れ部３がリクライニングした際に背凭れ側壁３１の前縁に干渉しない位置に配置されている。
【００２６】
詳しくは、図４に示すように、背凭れ体４の底壁３０を最も前側に揺動させたとき（リクライニングの最大傾斜姿勢）が側面視で最も小さくなり、側面視で背凭れ側壁３１の前縁が最も座部１に近づくが、このような状態であっても、外側部５１及び内側部５２における掛止具５４、５５の位置は、背凭れ側壁３１の前縁よりも前側に位置しており干渉しないようになっている。
【００２７】
図４に示すように、座席の外側に位置するカバー体５０の外側部５１は、座部側壁１１の前側から後側に亘って当該座部側壁１１の外側を覆うと共に、背凭れ側壁３１の前側から前後中途部に亘って当該背凭れ部３の外側を覆っている。カバー体５０の外側部５１の前側縁部５１Ｆは、前側開口部１６を構成する第１連結壁２２の後縁に沿っている。また、カバー体５０の外側部５１の上側縁部５１Ｕは、前側開口部１６を構成する第１上壁部２０の縁部に沿うと共に、後側開口部１８を構成する背凭れ部３の第２上壁部３５の縁部に沿っている。
【００２８】
また、カバー体５０の外側部５１の後側縁部５１Ｒは、後側開口部１８を構成する第２上壁部３５の縁部に沿っていて、カバー体５０の外側部５１の下側縁部５１Ｄは、後側開口部１８を構成する第２下壁部３６の縁部に沿うと共に、前側開口部１６を構成する第１下壁部２１の縁部に沿っている。
したがって、カバー体５０の外側部５１は、前側開口部１６から後側開口部１８に亘って配置された状態で、これらの開口部を塞いでおり、第２連結壁２３に形成した係止部１７を上端から下端に亘って覆っている。
【００２９】
図３に示すように、座席１の内側に位置するカバー体５０の内側部５２は、座部側壁１１の前側から後側に亘って当該座部側壁１１の内側を覆うと共に、背凭れ側壁３１の前側から後側に亘って当該背凭れ部３の内側を覆っている。カバー体５０の内側部５２の前側縁部５２Ｆは、前側開口部１６を構成する第１連結壁２２の後縁に沿っている。また、カバー体５０の内側部５２の上側縁部５２Ｕは、前側開口部１６を構成する第１上壁部２０の縁部よりも上方に位置すると共に、後側開口部１８を構成する背凭れ部３の第２上壁部３５の縁部よりも上方に位置していて、カバー体５０の内側部５２の上部側には、座席側壁４０の内側の上部側（即ち、第１上壁部２０及び第２上壁部３５）に当接する上当接部５６が設けられている。
【００３０】
また、カバー体５０の内側部５２の後側縁部５２Ｒは、後側開口部１８を構成する第２上壁部３５の縁部よりも後側に位置していると共に、後側開口部１８を構成する第２下壁部３６の縁部よりも後側に位置していて、カバー体５０の内側部５２の後部側には、座席側壁４０の内側の後部側（即ち、第１上壁部２０及び第２上壁部３５）に当接する後当接部５７が設けられている。
【００３１】
カバー体５０の内側部５２の下側縁部５２Ｄは、後側開口部１８を構成する第２下壁部３６の縁部よりも下側に位置していると共に、前側開口部１６を構成する第１下壁部２１の縁部よりも下側に位置していて、カバー体５０の内側部５２の下部側には、座席側壁４０の内側の下部側（即ち、第１下壁部２１及び第２下壁部３６）に当接する下当接部５８が設けられている。
【００３２】
以上のように、カバー体５０の内側部５２は、前側開口部１６及び後側開口部１８よりも大きく形成されていて、座席の側部の略全体を覆うものとなっている。
なお、座部１の側部クッションとなる左右一対のカバー体５０の間には、座部１の上部クッションとなるクッション部材５９が設けられている。詳しくは、クッション部材５９は、外側がポリエステルやナイロンなどの合成樹脂から構成され、内部にはウレタン等が設けられたもので、左右一対のカバー体５０の間であって座部１に配置されている。クッション部材５９の前後幅は、カバー体５０の前後幅と略同じ長さに設定されて、クッション部材５９の前端とカバー体５０の前端とが前後方向に略一致し、クッション部材５９の後端とカバー体５０の後端とが前後方向に略一致しするようになっている。
【００３３】
図６、図７は、カバー体５０を座部側壁１１に装着する手順を示したものである。
図６（ａ）に示すように、カバー体５０を座部側壁１１に装着するには、まず、カバー体５０の幅方向の両端を上下に向けた後［カバー体５０を座部側壁１１（座席側壁４０）に沿って立てる］、当該カバー体５０の外側部５１に相当する部分の端部側５１ａを、座部側壁１１の内側から前側開口部１６に通して外側に出す。カバー体５０を立てて、当該カバー体５０の外側部５１に相当する部位の端部側５１ａを前側開口部１６に通す際は、カバー体５０の内側部５２に相当する部位に設けた掛止具５５を座部側壁１１（座席側壁４０）に対向するように向けておく。図６（ｂ）に示すように、カバー体５０を立てた状態で端部側５１ａを更に外方へと引っ張り出す。
【００３４】
そして、図７（ａ）に示すように、カバー体５０の折り曲げ部５３を、前側開口部１６の前縁（第１連結壁２２）に近づくまで外側に引き出し、折り曲げ部５３と前側開口部１６の前縁とを略一致させる。
図７（ｂ）に示すように、折り曲げ部５３と前側開口部１６の前縁とを略一致させた状態にて、カバー体５０の外側部５１に相当する部位の端部（掛止具５４側の端部）を座部側壁１１に近づけ、カバー体５０の外側部５１の掛止具５４を後側開口部１８に通すと共に、カバー体５０の内側部５２の掛止具５５を後側開口部１８に通して、両者の掛止具５４、５５を掛止する。カバー体５０を座部側壁１１に近づける際は、ハンドルバー８の外周面及びハンドルバー８に沿ったワイヤー２５を外側から覆うようにすると共に、前側開口部１６及び後側開口部１８を覆うようにする。
【００３５】
本発明の自転車用幼児座席によれば、座部１の左右両側に設けられた座席側壁４０に側壁開口部４１が設けられ、座席側壁４０の外側にハンドルバー８が係止する係止部１７が設けられており、係止部１７及び側壁開口部４１を座席側壁４０の外側から覆うと共に、座席側壁４０の内側に配置されて座席の側部クッションとなるカバー体５０が着脱自在に設けられている。
【００３６】
これによれば、座席側壁４０に側壁開口部４１を形成することによって当該側壁開口部４１を通してカバー体５０を取り付けることが可能となり、係止部１７（ハンドルバー）を覆い隠すことで、座席側壁４０の外側が滑らかになり、幼児を座席に乗せる際に従来のように係止部１７（特に、ハンドルレバー）への引っかかりを防止することができる。特に、ハンドルバーに沿って配置したワイヤー２５も隠すことができるため、幼児を座席に乗せる際に幼児の手足などがワイヤー２５に引っかかることを極力防止することができる。さらには、カバー体５０を座部１の側部クッションとしても兼用化することができるため、部品点数が減り、製造コストも低減することができる。
【００３７】
また、自転車用幼児座席では、側壁開口部４１は、係止部１７の前側に設けられた前側開口部１６と、係止部１７の後側に設けられた後側開口部１８とを備え、カバー体５０は、前側開口部１６及び後側開口部１８を係止部１７と共に外側から覆う外側部５１と、座席側壁４０の内側に位置する内側部５２とを有している。
これによれば、前側開口部１６及び後側開口部１８によって、側壁開口部４１における開口面積が大きくなるため軽量化ができ、このように開口を開けることで大幅に軽量化した場合であっても、その開口を効率よくカバー体５０により塞ぐことができる。
【００３８】
カバー体５０は、座席側壁４０を内外から挟み込むように配置され、前側開口部１６及び後側開口部１８を係止部１７と共に外側から覆う部分が外側部５１とされ、座席側壁４０の内側に位置する部分が内側部５２とされており、外側部５１と内側部５２とを互いに掛止することで座席側壁４０に対して固定されている。
これによれば、座席側壁４０を内外から挟み、カバー体５０の外側部５１と内側部５２とを掛止するだけで、座席側壁４０に対するカバー体５０の位置を決めることができ（固定できる）、非常に簡単な構成で座席側壁４０にカバー体５０を取り付けることができる。
【００３９】
座席側壁４０は、座部１の左右両側に設けられた座部側壁１１と、座部１の背面側に設けられた背凭れ体４の左右両側に設けられた背凭れ側壁３１とを備え、背凭れ体４の底壁３０が座部側壁１１に左右方向の支軸３２廻りに揺動自在に支持されてリクライニング可能とされ、後側開口部１８は、座部側壁１１の後側縁部１１ａと背凭れ側壁３１の前側縁部３１ａとで構成されおり、外側部５１と内側部５２との掛止位置は、リクライニング時に背凭れ側壁３１の前側縁部３１ａと干渉しない位置に設けられている。
【００４０】
これによれば、背凭れ体４がリクライニングするという構成であったとしても、カバー体５０を座部側壁１１及び背凭れ側壁３１に確実に取付固定することができる。
カバー体５０の内側部５２には、座席側壁４０の内側の上部側及び／又は下部側に当接する当設部が形成されている。
これによれば、カバー体５０により座部１の左右両側を大きな範囲を占めることになり、幼児が座部１に座った際に幼児の側部を大きなカバー体５０により包むことができるため、座部１の座り心地を向上させることができる。
【００４１】
図８〜図１１は、上述した第１実施形態とは異なる第２実施形態を示している。
図８〜図１０に示すように、カバー体５０Ａは、座席側壁４０を上方から挟み込むことにより各座席側壁４０に取り付けられたものである。具体的には、カバー体５０Ａの上下方向（長手方向）の中途部に、座席側壁４０を内外から挟み込みができるように折り曲げ部５３が形成されている。カバー体５０Ａの折り曲げ部５３は、座部側壁１１の第１上壁部２０に当接していて、カバー体５０Ａは座部側壁１１に対して吊り下げ状態となっており、座部側壁１１の外側に位置する部分が外側部５１とされ、座部側壁１１の内側に位置する部分が内側部５２とされている。さらに詳しくは、外側部５１は、第２連結壁２３の上方に位置する第１上壁部２０の一部を外側から覆うと共に、前側開口部１６、係止部１７及びハンドルバー８や垂直部８ａに沿って設けられたワイヤー２５を覆っている。折り曲げ部５３の幅（前後幅）は、外側部５１や内側部５２よりも小さく設定されている。
【００４２】
カバー体５０Ａにおいては、前側開口部１６側の外側部５１及び内側部５２の前側上部には、掛止具５４Ｆ、５５Ｆが設けられ、後側開口部１８側の外側部５１と内側部５２とのそれぞれには、上下一対の掛止具５４Ｒ、５５Ｒが設けられている。外側部５１の掛止具５４Ｆ、５４Ｒと、内側部５２の掛止具５５Ｆ、５５Ｒとをぞれぞれ掛止めすることによりカバー体５０Ａは、座席側壁４０に取り付けられている。後開口部１８側に位置する掛止具５４Ｒ、５５Ｒは、背凭れ部３がリクライニングした際に背凭れ側壁３１の前縁に干渉しない位置に配置されている。
【００４３】
カバー体５０Ａの外側部５１の前側縁部５１Ｆは、第１連結壁２２に沿っている。また、外側部５１の前側における上側縁部５１ＵＦは、前側開口部１６の上側で第１上壁部２０に向けて延びている。また、カバー体５０Ａの外側部５１の下側縁部から後側縁部を経て後側の上側縁部に移行する縁部５１Ｄは、前側開口部１６を構成する第１下壁部２１の縁部を沿うと共に、後側開口部１８を構成する第２下壁部３６の縁部に沿って後側開口部１８の上側で第１上壁部２０に向けて延びている。
【００４４】
カバー体５０Ａの内側部５２は、第２連結壁２３の上方に位置する第１上壁部２０の一部を内側から覆い、第２上部壁３５の一部及び第２下壁部３６の一部を覆っている。即ち、第１上壁部２０及び第２上壁部３５を覆っている一部（上部側）が上当接部５６とされ、第２上壁部３５における覆っている部分（後部側）が後当接部５７とされている。また、内側部５２は、前側開口部１６及び後側開口部１８を覆っていると共に、第１下壁部２１及び第２下壁部３６を覆っている。この第１下壁部２１及び第２下壁部３６を覆っている部分が下当接部５８となっている。
【００４５】
図１１は、カバー体５０Ａを座部側壁１１に装着する手順を示したものである。
図１１（ａ）に示すように、カバー体５０Ａを座部側壁１１に装着するには、まず、カバー体５０Ａの内側部５２に対応する部分を座席側壁４０の内側に当てる。このとき、内側部５２に対応する部分に設けた掛止具５５Ｆが前側開口部１６側に向くようにすると共に、内側部５２に対応する部分に設けた上下一対の掛止具５５Ｒ、５５Ｒがそれぞれ後側開口部１８側に向くようにする。また、カバー体５０Ａの折り曲げ部５３を第１上壁部２０に近接させておくと共に、外側部５１に対応する部分に設けた掛止具５４Ｆ、５４Ｒを座席の左右方向外側に向け、外側部５１に対応する部分の端部５１ｂを座席側壁４０の上側に位置させる。
【００４６】
そして、図１１（ｂ）に示すように、座席側壁４０の上側に位置させた端部５１ｂを、座席の外側に向けて徐々に倒していく。言い換えれば、第１上壁部２０に近接又は当接させたカバー体５０Ａの折り曲げ部５３を基点として端部５１ｂを外側に倒していく。
図１１（ｃ）に示すように、カバー体５０Ａの端部５１ｂを座席側壁４０の外側に当接して掛止具５４、５５をそれぞれ前側開口部１６及び後側開口部１８に通して両者の掛止具５４、５５を掛止する。カバー体５０Ａを座部側壁４０に近づける際は、ハンドルバーの外周面及びハンドルバーに沿ったワイヤー２５を外側から覆うようにすると共に、前側開口部１６及び後側開口部１８を覆うようにする。
【００４７】
第２実施形態によれば、第１実施形態のように側壁開口部４１（前側開口部１６）にカバー体を通さなくても、カバー体を座席側壁４０の上部から当該座席側壁４０を挟み込むことによって取り付けることができるようになっており、簡単にカバー体を着脱することができる。
上記の実施形態では、座席本体２と背凭れ体４とが別体のものであったが、座席本体２と背凭れ体４とが一体のものであってもよい。また、上記の実施形態では、側壁開口部４１が前側開口部１６と後側開口部１８との２つを有するものであったが、側壁開口部４１は、これに限らず、１つのものであっても複数のものであってもよい。さらに、上記の実施形態では、１枚のカバー体５０により１つの側壁開口部４１を覆うものであったが、複数のカバー体５０により１つの側壁開口部４１を覆うものであってもよい。
【符号の説明】
【００４８】
１    座部
８    ハンドルレバー
１６  前側開口部
１７  係止部
１８  後側開口部
４０  座席側壁
４１  側壁開口部
５０  カバー体
５１  外側部
５２  内側部
【図１】
2011088537.tif 000003
【図２】
2011088537.tif 000004
【図３】
2011088537.tif 000005
【図４】
2011088537.tif 000006
【図５】
2011088537.tif 000007
【図６】
2011088537.tif 000008
【図７】
2011088537.tif 000009
【図８】
2011088537.tif 000010
【図９】
2011088537.tif 000011
【図１０】
2011088537.tif 000012
【図１１】
2011088537.tif 000013